(57)【要約】【課題】  フレック・スケーブルを折り返した状態をフック部材にダメージを与えることなく実現するフレックス・ケーブル・アッセンブリ（ＦＣＡ）、ヘッド・ジンバル・アッセンブリ（ＨＧＡ）、及びディスク装置を提供する。【解決手段】  本発明のフレックス・ケーブル・アッセンブリ（ＦＣＡ）は、フレックス・ケーブルと、前記フレックス・ケーブルに取り付けられたブラケットＡと、前記フレックス・ケーブルに取り付けられたブラケットＢと、前記ブラケットＡと前記ブラケットＢとの間で着脱可能であって、前記フレックス・ケーブルを折り返して前記ブラケットＡと前記ブラケットＢとを重ね合わせた状態で、前記ブラケットＡと前記ブラケットＢとを保持可能で、前記ブラケットＡまたは前記ブラケットＢに引っ掛ける爪を有するフレックス・ケーブル固定部材とを有する。【選択図】      図４
2005190503.tif 000002
【特許請求の範囲】
【請求項１】
フレックス・ケーブルと、
前記フレックス・ケーブルに取り付けられたブラケットＡと、
前記フレックス・ケーブルに取り付けられたブラケットＢと、
前記ブラケットＡと前記ブラケットＢとの間で着脱可能であって、前記フレックス・ケ
ーブルを折り返して前記ブラケットＡと前記ブラケットＢとを重ね合わせた状態で、前記
ブラケットＡと前記ブラケットＢとを保持可能で、前記ブラケットＡまたは前記ブラケッ
トＢに引っ掛ける爪を有するフレックス・ケーブル固定部材と
を有することを特徴とするフレックス・ケーブル・アッセンブリ（ＦＣＡ）。
【請求項２】
前記ブラケットＡ側または前記ブラケットＢ側に前記フレックス・ケーブル固定部材の
爪と勘合しあう溝を有する
ことを特徴とする請求項１に記載のフレックス・ケーブル・アッセンブリ（ＦＣＡ）。
【請求項３】
前記ブラケットＡ側または前記ブラケットＢ側の前記フレックス・ケーブル固定部材の
爪が干渉する位置に、前記フレックス・ケーブル固定部材の爪の当接を逃げる逃げ部を有
する
ことを特徴とする請求項１に記載のフレックス・ケーブル・アッセンブリ（ＦＣＡ）。
【請求項４】
ヘッド・ジンバル・アッセンブリ（ＨＧＡ）を有し、
請求項１乃至３に記載のフレックス・ケーブル・アッセンブリ（ＦＣＡ）の一方が、前
記ヘッド・ジンバル・アッセンブリ（ＨＧＡ）に取り付けられているヘッド・ジンバル・
アッセンブリ（ＨＧＡ）。
【請求項５】
ベースを有し、
前記ベースに対して、請求項４に記載の前記ヘッド・ジンバル・アッセンブリ（ＨＧＡ
）が揺動可能に取り付けられ、
前記ベースに対して、前記フレックス・ケーブル・アッセンブリ（ＦＣＡ）の他方が接
続可能に設けられているディスク装置。
【発明の詳細な説明】
【技術分野】
【０００１】
この発明は、ディスク装置の内部構造に関し、特にディスク装置の内部において、フレ
ックス・ケーブルの折り返された状態を適切に保持するフレックス・ケーブル・アッセン
ブリ（ＦＣＡ）、ヘッド・ジンバル・アッセンブリ（ＨＧＡ）、及びディスク装置に関す
る。
【背景技術】
【０００２】
従来は、ディスク装置の一つであるハードディスク装置の内部において、フレックス・
ケーブルを折り返した状態を適切に保持する手法として、特開２００１−２４３５６が知
られていた（特許文献１）。
【０００３】
本特許文献には、フレックス・ケーブルのループ部に、ブラケットを２つ取り付けてお
き、片側にフレックス・ケーブル固定部材であるフック部材を取り付け、もう一方のブラ
ケットにフック部材の爪を嵌合させることで、フレックス・ケーブルのループを折り返し
固定する方法が開示されている。また、同特許文献にはフック部材をブラケットに固定し
、その後抜け落ちてくるのを防止するために、ブラケット側に突起を設けておく構造が開
示されている。
【０００４】
【特許文献１】特開２００１−２４３５６号公報（概要）
【発明の開示】
【発明が解決しようとする課題】
【０００５】
しかし、上述した先行技術文献の場合には、フレックス・ケーブルのループを折り曲げ
るために用いられるフレックス・ケーブル固定部材のフック部材において、フレックス・
ケーブル折り曲げ用フック部材を所定の位置に固定しておくために、フレックス・ケーブ
ルの所定の位置に、ブラケット１、ブラケット２が取り付けられており、ブラケット２に
フック部材を勘合させて固定する構造とっている。
【０００６】
すなわち、フレックス・ケーブルをループ状に折り曲げる際に、取り付けたフック部材
が相手方のブラケット１付近に位置するようにブラケット１及びブラケット２を配置して
おき、フック部材を勘合した後にフック部材が抜け落ちてくるのを防止し、且つ所定の位
置でフック部材を固定しておくために、ブラケット２の入り口に抜け防止用の爪が用意さ
れている（先行技術文献の図３参照）。
【０００７】
しかし、フック部材をブラケット２に勘合させる際には、この抜け止め用の爪を乗り越
えるようにフック部材を大きく変形させる必要がある。特にフック部材を勘合させる位置
が先行技術文献の様に根元のところであると、フック部材を大きく変形させても先端に比
べ得られる隙間は僅かで、フック部材を勘合させづらい。また、フック部材を大きく変形
させるとフック部材にダメージを与える可能性が高く、信頼性にも影響すると考えられる
。
【０００８】
そこで、本発明は上記の問題を解決するためになされたものであり、フレック・スケー
ブルを折り返した状態をフック部材にダメージを与えることなく実現するフレックス・ケ
ーブル・アッセンブリ（ＦＣＡ）、ヘッド・ジンバル・アッセンブリ（ＨＧＡ）、及びデ
ィスク装置を提供することにある。
【課題を解決するための手段】
【０００９】
上記した課題を解決するために、この発明に係るフレックス・ケーブル・アッセンブリ
は、フレックス・ケーブルと、前記フレックス・ケーブルに取り付けられたブラケットＡ
と、前記フレックス・ケーブルに取り付けられたブラケットＢと、前記ブラケットＡと前
記ブラケットＢとの間で着脱可能であって、前記フレックス・ケーブルを折り返して前記
ブラケットＡと前記ブラケットＢとを重ね合わせた状態で、前記ブラケットＡと前記ブラ
ケットＢとを保持可能で、前記ブラケットＡまたは前記ブラケットＢに引っ掛ける爪を有
するフレックス・ケーブル固定部材とを有することを特徴とするものである。
【００１０】
さらには、本発明はヘッド・ジンバル・アッセンブリ（ＨＧＡ）というアッセンブリ単
位として、または、ハードディスク装置などのディスク装置全体のアッセンブリ単位とし
ても実現される。
【発明の効果】
【００１１】
この発明によれば、上記のような構成にすることで、フレック・スケーブルを折り返し
た状態をフック部材にダメージを与えることなく実現するフレックス・ケーブル・アッセ
ンブリ（ＦＣＡ）、ヘッド・ジンバル・アッセンブリ（ＨＧＡ）、及びディスク装置を提
供することが可能となる。
【発明を実施するための最良の形態】
【００１２】
以下、この発明の実施の形態について、図面を参照しながら詳細に説明する。
本発明の実施形態に係るディスク装置である磁気ディスク装置（ＨＤＤ）の構造を図１
を用いて説明する。
＜装置の構成＞
図１は、磁気ディスク装置１０の斜視図である。内部の状態を示すため、カバー１８を
取り外した斜視図についても示されている。ベース１２に対して、ディスク１４が回転可
能に取り付けられている。また、ベース１２に対して、ヘッド・サスペンション・アッセ
ンブリ（ＨＳＡ）３０も取り付けられており、ディスク１４を半径方向に横切って、ディ
スク１４上の所望の位置をアクセスできるようにされている。
【００１３】
図２は、ヘッド・サスペンション・アッセンブリ（ＨＳＡ）３０の平面図（Ａ）及び斜
視図（Ｂ）である。斜視図については１方向から見たもののみを示している。
ヘッド・サスペンション・アッセンブリ（ＨＳＡ）３０は、ヘッド・ジンバル・アッセ
ンブリ（ＨＧＡ）３２と、コイル・サポート３８と、フレックス・ケーブル・アッセンブ
リ（ＦＣＡ）５０を含んでいる。
【００１４】
ヘッド・ジンバル・アッセンブリ（ＨＧＡ）３２とコイル・サポート３８とは固着され
ており、ベース１２に対して、軸４０を中心として揺動可能に取り付けることができる。
コイル・サポート３８には、フレックス・ケーブル・アッセンブリ（ＦＣＡ）５０を通じ
て、コイル部分に電流が与えられる。コイル・サポート３８は、ボイス・コイル・モータ
（ＶＣＭ）アッセンブリ１６（図１）によって与えられる磁場と協働して、ヘッド・サス
ペンション・アッセンブリ（ＨＳＡ）３０を揺動する。このことによって、ヘッド・サス
ペンション・アッセンブリ（ＨＳＡ）３０が、ディスク１４上の所望の位置にアクセスで
きる。
【００１５】
ディスク１４へのデータの記録及びディスク１４からのデータの読み出しについては、
サスペンション３６の先端に位置するヘッド３４に信号が与えられると共にヘッド３４か
ら信号が取り出される。データの記録及び読み出しの信号についても、フレックス・ケー
ブル・アッセンブリ（ＦＣＡ）５０を通じて行なわれる。
【００１６】
図３のように，フレックス・ケーブル５０のループを折り曲げるために用いられるフレ
ックス・ケーブル固定部材のフック部材５１において、折り曲げ作業を容易にし、フック
部材５１を嵌め易くする為、予めフック部材５１を所定の位置に固定させておく方法を提
供する。
【００１７】
一般的な磁気ディスク装置では、フレックス・ケーブル折り曲げ用のフック部材５１を
所定の位置に固定しておくために、以下の方法を採用している。即ち、図４に示すように
、フレックス・ケーブル５０の所定の位置に、ブラケット１（５２）とブラケット２（５
３）が取り付けておき、ブラケット２（５３）にフレックス・ケーブル取り付け部材であ
るフック部材５１を勘合させて固定する。
【００１８】
フレックス・ケーブル５０をループ状に折り曲げる際に、取り付けたフック部材５１が
相手方のブラケット１（５２）付近に来るようにブラケット１（５２）及びブラケット２
（５３）を配置しておく。フック部材５１を勘合した後に、フック部材５１が抜け落ちて
くるのを防止し、且つ所定の位置でフック部材５１を固定しておくために、ブラケット２
（５３）の入り口に抜け防止用の突起である爪５３ａが用意されている（図５）。
【００１９】
フック部材５１をブラケット２（５３）に勘合させる際には、この抜け止め用の爪５３
ａを乗り越えるようにフック部材５１を大きく変形させる必要がある。特にフック部材５
１を勘合させる位置が図６の様に根元のところであると、フック部材５１を大きく変形さ
せても先端に比べ得られる隙間は僅かで、フック部材５１を勘合させづらい。また、大変
形によりフック部材５１にダメージを与える可能性が高く、信頼性にも影響すると考えら
れる。
【００２０】
そこで，本発明では、フック部材５１に大きなダメージを与えることなく、フック部材
５１を所定の位置に固定させておく方法として、図７のようにフック部材５１に新たな爪
形状５１ｃを付加し、この爪５１ｃをブラケット２（５３）のエッジ部分に、または、爪
５１ｃが勘合できるような溝をブラケット２（５３）側に予め用意しておき、そこにフッ
ク部材５１の爪５１ｃを引っ掛け、フック部材５１が抜け落ちてくるのを防止し、所定の
位置で固定させておくことを実現させる。
【００２１】
この構造であれば、取り付け作業時に変形する部分は、新たに付加した爪５１ｃのみで
あり、今まで大きく変形させていた部分５１ａ、５１ｂを変形し、傷めることを回避する
ことが可能となる。また、今までと同様にフック部材５１の根元に勘合させる形状でも、
爪５１ｃの形状を工夫することにより、大きく変形せずに勘合させられ、作業性も向上さ
せられる。
【００２２】
また、ブラケット２（５３）の厚みが非常に薄く、爪５１ａ、５１ｂのかかる範囲が大
きく取れない場合、フレックス・ケーブル５０に逃げ形状（例えば、穴等）を設け、爪５
１ａ、５１ｂの掛かりを向上させることも可能である（図６）。
【００２３】
これにより、フレック・スケーブル５０を折り返した状態をフック部材５１にダメージ
を与えることなく実現するフレックス・ケーブル・アッセンブリ（ＦＣＡ）、ヘッド・ジ
ンバル・アッセンブリ（ＨＧＡ）、及びディスク装置を提供することが可能となる。
【００２４】
なお、本発明は、磁気ディスク装置に限らず、情報をディスク状の媒体に記録する他の
ディスク装置、例えば、光磁気ディスク装置、オプティカルディスク装置にも適用可能で
あることは言うまでもない。
【図面の簡単な説明】
【００２５】
【図１】本発明の実施形態に係る磁気ディスク装置（ＨＤＤ）の斜視図
【図２】本発明の実施形態に係る磁気ディスク装置のヘッド・ジンバル・アッセンブリ（ＨＧＡ）の平面図（Ａ）、および斜視図（Ｂ）
【図３】本実施形態に係るフレックス・ケーブルの折り返し状態を説明する図
【図４】本実施形態に係るフレックス・ケーブルの構造とフック部材の取り付け状態を説明する図
【図５】本実施形態に係るフレックス・ケーブル上に設けられたブラケットの構造を説明する図
【図６】本実施形態に係るフック部材の構造を示す側面図
【図７】本実施形態に係るフック部材の構造を示す斜視図
【図８】本実施形態に係るフック部材とブラケットの接続状態を説明する図
【符号の説明】
【００２６】
１０……磁気ディスク装置（ＨＤＤ）
１２……ベース
１４……ディスク
１６……ボイス・コイル・モータ（ＶＣＭ）アッセンブリ
１８……カバー
３０……ヘッド・サスペンション・アッセンブリ（ＨＳＡ）
３２……ヘッド・ジンバル・アッセンブリ（ＨＧＡ）
３４……ヘッド
３６……アーム
３８……コイル・サポート
４０……軸
５０……フレキシブル・ケーブル（・アッセンブリ）
５１……フック部材
５１ａ、５１ｂ……フック部材側面爪
５１ｃ……フック部材抜け防止爪
５２……ブラケット１
５３……ブラケット２
５３ａ、５３ｂ……フック部材抜けど目防止用突起
【図１】
2005190503.tif 000003
【図２】
2005190503.tif 000004
【図３】
2005190503.tif 000005
【図４】
2005190503.tif 000006
【図５】
2005190503.tif 000007
【図６】
2005190503.tif 000008
【図７】
2005190503.tif 000009
【図８】
2005190503.tif 000010